【手続補正書】
【提出日】平成23年8月8日(2011.8.8)
【手続補正１】
【補正対象書類名】特許請求の範囲
【補正対象項目名】全文
【補正方法】変更
【補正の内容】
【特許請求の範囲】
【請求項１】
メモリに記憶されている第１の画像と、メモリに記憶されている第２の画像とを、印刷装置にシートへ印刷させる印刷制御手段と、
前記印刷制御手段により印刷されたシートを読取装置が読み取って得られた、前記第１の画像と前記第２の画像とを含む読取画像を入力する入力手段と、
前記入力手段により入力された読取画像において前記第２の画像に対応する抽出対象の領域と、当該抽出対象の領域において色調整の対象のとなる色調整部分とを特定するための情報を、メモリから取得する取得手段と、
前記入力手段により入力された読取画像から抽出される画像であって、当該画像に含まれる画素のそれぞれの輝度が所定レベルよりも低い第１の抽出画像と、当該読取画像のうちの前記取得手段により取得された情報により特定される前記抽出対象の領域に対応する第２の抽出画像とを、当該読取画像から抽出する抽出手段と、
前記抽出手段により抽出される前記第２の抽出画像における、前記取得手段により取得された情報により特定される色調整部分に、所定の色調整処理を実行する実行手段と、
前記抽出手段により抽出された、前記第１の抽出画像および前記実行手段により前記所定の色調整処理が実行された前記第２の抽出画像と、前記メモリに記憶されている前記第１の画像とが合成された合成画像を出力する出力手段と、
を有することを特徴とする画像処理装置。
【請求項２】
前記実行手段は、前記抽出手段により前記読取画像から前記第２の抽出画像が抽出される前に、当該読取画像のうちの前記抽出対象の領域における前記色調整部分に、前記所定の色調整処理を実行し、
前記抽出手段は、前記実行手段により前記所定の色調整処理が前記色調整部分に既に実行されている前記第２の抽出画像を抽出することを特徴とする請求項１に記載の画像処理装置。
【請求項３】
前記実行手段は、前記抽出手段により前記読取画像から前記第２の抽出画像が抽出された後に、当該第２の抽出画像における前記色調整部分に、前記所定の色調整処理を実行することを特徴とする請求項１に記載の画像処理装置。
【請求項４】
前記取得手段は、メモリに記憶されている前記第２の画像に基づき、前記抽出対象の領域と、当該抽出対象の領域における前記色調整部分とを特定するための前記情報を作成して、当該情報を取得することを特徴とする請求項１乃至３のいずれか１項に記載の画像処理装置。
【請求項５】
前記所定の色調整処理は、前記第２の抽出画像における前記色調整部分の画像を、前記メモリに記憶されている前記第２の画像における当該色調整部分に対応する領域の画像に置き換える処理であることを特徴とする請求項１乃至４のいずれか１項に記載の画像処理装置。
【請求項６】
前記抽出手段は、前記抽出手段により抽出される前記第１の抽出画像および前記第２の抽出画像と、前記メモリに記憶されている前記第１の画像とが合成されるときのレイアウトが所定のレイアウトの場合には、当該読取画像のうちの前記抽出対象の領域における前記色調整部分を抽出しないことを特徴とする請求項１乃至５のいずれか１項に記載の画像処理装置。
【請求項７】
前記抽出手段は、前記入力手段により入力された読取画像から、前記第１の抽出画像と前記第２の抽出画像とを、１つの画像として抽出し、
前記出力手段は、前記抽出手段により抽出された、前記第１の抽出画像と前記第２の抽出画像とを含む１つの画像と、前記メモリに記憶されている前記第１の画像とを合成することによって、当該第１の抽出画像と、当該第２の抽出画像と、当該第１の画像とが合成された前記合成画像を出力することを特徴とする請求項１乃至６のいずれか１項に記載の画像処理装置。
【請求項８】
メモリに記憶されている第１の画像と、メモリに記憶されている第２の画像とを、印刷装置にシートへ印刷させる印刷制御工程と、
前記印刷制御工程において印刷されたシートを読取装置が読み取って得られた、前記第１の画像と前記第２の画像とを含む読取画像を入力する入力工程と、
前記入力工程において入力された読取画像において前記第２の画像に対応する抽出対象の領域と、当該抽出対象の領域において色調整の対象のとなる色調整部分とを特定するための情報を、メモリから取得する取得工程と、
前記入力工程において入力された読取画像から抽出される画像であって、当該画像に含まれる画素のそれぞれの輝度が所定レベルよりも低い第１の抽出画像と、当該読取画像のうちの前記取得工程において取得された情報により特定される前記抽出対象の領域に対応する第２の抽出画像とを、当該読取画像から抽出する抽出工程と、
前記抽出工程において抽出される前記第２の抽出画像における、前記取得工程において取得された情報により特定される色調整部分に、所定の色調整処理を実行する実行工程と、
前記抽出工程において抽出された、前記第１の抽出画像および前記実行工程において前記所定の色調整処理が実行された前記第２の抽出画像と、前記メモリに記憶されている前記第１の画像とが合成された合成画像を出力する出力工程と、
を有することを特徴とする画像処理方法。
【請求項９】
請求項８に記載の画像処理方法をコンピュータに実行させるためのプログラム。
【手続補正２】
【補正対象書類名】明細書
【補正対象項目名】発明の名称
【補正方法】変更
【補正の内容】
【発明の名称】画像処理装置、画像処理方法、およびプログラム
【手続補正３】
【補正対象書類名】明細書
【補正対象項目名】０００１
【補正方法】変更
【補正の内容】
【０００１】
本発明は、シートの読取画像から抽出された画像と、メモリに記憶されている画像とを合成する画像処理装置、画像処理方法、およびプログラムに関する。
【手続補正４】
【補正対象書類名】明細書
【補正対象項目名】００１２
【補正方法】変更
【補正の内容】
【００１２】
よって本発明は、シートの読取画像から抽出された画像と、メモリに記憶されている画像とを適切に合成することができる画像処理装置、画像処理方法、およびプログラムを提供することを目的とする。
【手続補正５】
【補正対象書類名】明細書
【補正対象項目名】００１３
【補正方法】変更
【補正の内容】
【００１３】
本発明は、メモリに記憶されている第１の画像と、メモリに記憶されている第２の画像とを、印刷装置にシートへ印刷させる印刷制御手段と、前記印刷制御手段により印刷されたシートを読取装置が読み取って得られた、前記第１の画像と前記第２の画像とを含む読取画像を入力する入力手段と、前記入力手段により入力された読取画像において前記第２の画像に対応する抽出対象の領域と、当該抽出対象の領域において色調整の対象のとなる色調整部分とを特定するための情報を、メモリから取得する取得手段と、前記入力手段により入力された読取画像から抽出される画像であって、当該画像に含まれる画素のそれぞれの輝度が所定レベルよりも低い第１の抽出画像と、当該読取画像のうちの前記取得手段により取得された情報により特定される前記抽出対象の領域に対応する第２の抽出画像とを、当該読取画像から抽出する抽出手段と、前記抽出手段により抽出される前記第２の抽出画像における、前記取得手段により取得された情報により特定される色調整部分に、所定の色調整処理を実行する実行手段と、前記抽出手段により抽出された、前記第１の抽出画像および前記実行手段により前記所定の色調整処理が実行された前記第２の抽出画像と、前記メモリに記憶されている前記第１の画像とが合成された合成画像を出力する出力手段と、を有することを特徴とする画像処理装置。
【手続補正６】
【補正対象書類名】明細書
【補正対象項目名】００１４
【補正方法】変更
【補正の内容】
【００１４】
本発明によれば、シートの読取画像から抽出される抽出画像に色調整が行われるため、抽出画像と、メモリに記憶されている画像とを適切に合成することができる。